(57)【要約】【課題】周囲を濡らしてしまうことがなく、興趣性に富んだ鑑賞用水槽を提供する。【解決手段】水槽本体１の開口１ａを覆う傾斜屋根２を設けた鑑賞用水槽であって、屋根本体２１の内面側に、結露した水滴が屋根本体２１の内面を流下して水槽本体１の外側に滴るのを阻止する水滴留め手段３を設ける。【選択図】  図４
2007097499.tif 000002
【特許請求の範囲】
【請求項１】
水槽本体の開口を覆う蓋を備えた鑑賞用水槽であって、
前記蓋は、
平面視で前記水槽本体の外側まで張り出した傾斜面を有する屋根本体と、
前記屋根本体の内面側に結露した水滴を前記水槽本体の開口の内側に滴下させる水滴留め手段と、
を備えていることを特徴とする鑑賞用水槽。
【請求項２】
前記屋根本体が透明材で構成されている請求項１に記載の鑑賞用水槽。
【請求項３】
前記屋根本体の内側に水槽本体内を照光する照明装置が配備されている請求項１または２に記載の鑑賞用水槽。
【請求項４】
前記屋根が孔部を有している請求項１〜３のいずれかに記載の鑑賞用水槽。
【請求項５】
水槽本体の開口を覆うために鑑賞用水槽に使用される蓋であって、
平面視で前記水槽本体の外側まで張り出した傾斜面を有する屋根本体と、
前記屋根本体の内面側に結露した水滴を前記水槽本体の開口の内側に滴下させる水滴留め手段と、
を備えていることを特徴とする鑑賞用水槽に使用される蓋。
【発明の詳細な説明】
【技術分野】
【０００１】
この発明は、熱帯魚などを飼育したり、鑑賞するための鑑賞用水槽および鑑賞用水槽に使用される蓋に関する。
【背景技術】
【０００２】
従来、熱帯魚など観賞用水槽では、塵埃の侵入等を防止するため上部の開口に蓋を被せて使用されている場合が多い。
【発明の開示】
【発明が解決しようとする課題】
【０００３】
しかしながら、従来の観賞用水槽に使用される蓋は、平面視で水槽本体と同サイズに構成されており、興趣性に乏しく改善の余地があった。
【０００４】
一方、このような蓋を水槽本体より平面視で大きく構成すると、水槽内の水が蓋の内面に結露したとき、水滴が蓋の内面を伝って水槽の外側に滴り、水槽の周囲を濡らしてしまうことが懸念される。
【０００５】
この発明は、水槽の周囲を濡らしてしまうことのない興趣性に富んだ鑑賞用水槽および鑑賞用水槽に使用される蓋を提供することを目的とする。
【課題を解決するための手段】
【０００６】
上記課題は、以下の手段によって解決される。
【０００７】
［１］水槽本体の開口を覆う蓋を備えた鑑賞用水槽であって、
前記蓋は、
平面視で前記水槽本体の外側まで張り出した傾斜面を有する屋根本体と、
前記屋根本体の内面側に結露した水滴を前記水槽本体の開口の内側に滴下させる水滴留め手段と、
を備えていることを特徴とする鑑賞用水槽。
【０００８】
［２］前記屋根本体が透明材で構成されている前項１に記載の鑑賞用水槽。
【０００９】
［３］前記屋根本体の内側に水槽本体内を照光する照明装置が配備されている前項１または２に記載の鑑賞用水槽。
【００１０】
［４］前記屋根が孔部を有している前項１〜３のいずれかに記載の鑑賞用水槽。
【００１１】
［５］水槽本体の開口を覆うために鑑賞用水槽に使用される蓋であって、
平面視で前記水槽本体の外側まで張り出した傾斜面を有する屋根本体と、
前記屋根本体の内面側に結露した水滴を前記水槽本体の開口の内側に滴下させる水滴留め手段と、
を備えていることを特徴とする鑑賞用水槽に使用される蓋。
【発明の効果】
【００１２】
前記［１］の発明によれば、平面視で水槽本体の外側まで張り出した傾斜面を有する屋根本体により従来にない興趣性を得られるとともに、屋根本体の内面に結露して屋根本体の内面を流下する水滴は水滴留め手段によって水槽本体の内側に滴下されるため、水槽本体の周囲を濡らしてしまうこともない。
【００１３】
前記［２］の発明によれば、屋根本体が透明材で構成されているから、水槽本体内の熱帯魚などをこの屋根本体を透して鑑賞することができる。
【００１４】
前記［３］の発明によれば、照明装置により水槽本体内が照らされて、熱帯魚などを観察しやすくなるうえ、熱帯魚などが照明で照らされるため、鑑賞の楽しみが増す。
【００１５】
前記［４］の発明によれば、孔部から熱帯魚などの餌を投入できる上、屋根の内側空間が換気されるため、屋根の内側空間に熱がこもってしまうことがない。
【００１６】
前記［５］の発明によれば、平面視で水槽本体の外側まで張り出した傾斜面を有する屋根本体により従来にない興趣性を得られるとともに、屋根本体の内面に結露して屋根本体の内面を流下する水滴は水滴留め手段によって水槽本体の内側に滴下されるため、水槽本体の周囲を濡らしてしまうこともない。
【発明を実施するための最良の形態】
【００１７】
以下、この発明の実施形態を図面に基づいて説明する。
【００１８】
図１および図２は、それぞれこの発明の実施形態に係る鑑賞用水槽を示す斜視図および分解斜視図である。
【００１９】
この鑑賞用水槽は、熱帯魚やカメなどを鑑賞したり、飼育するためのものであり、例えば十数センチの立方体程度の比較的小形の水槽本体１と、水槽の蓋として機能する屋根２とを備えている。
【００２０】
前記水槽本体１は、平面形状が、例えば４角形の底壁部１１と、この底壁部１１の前後両辺にそれぞれ立設された前後の側壁部１２，１３、前記底壁部１１の左右両辺にそれぞれ立設された左右の側壁部１４，１５とから構成されており、少なくとも前後左右の４つの側壁部１２〜１５は、例えばガラス、あるいはこの例のような透明性の合成樹脂で成形されている。
【００２１】
勿論、４つの側壁部１２〜１５のうちで、適当な箇所だけ透明にしたものあってもよく、また、透明の着色した部分を設けたりすることもできる。
【００２２】
前記屋根２は、例えば、左右対称の下り勾配の傾斜面を有し、正面形状がへの字形の切り妻式に構成された屋根本体２１と、この屋根本体２１の前後両側にそれぞれ位置して内面側に垂直壁として固定された前後一対の妻小壁部２２，２３と、水滴留め手段３とを備えている。
【００２３】
前記屋根本体２１は、水槽本体１に取り付けられたとき平面視で水槽本体１より大きいサイズに構成され、左右対称の傾斜面は、水槽本体１の外側まで張り出している。
【００２４】
この屋根本体２１は、例えばガラス、あるいはこの例のような透明性の合成樹脂で成形されている。勿論、屋根本体２１の一部だけを透明にしたものあってもよく、また、透明で着色した部分を設けたりすることもできる。
【００２５】
また、屋根本体２１は、切り妻式に限られるものではなく、例えば寄棟式などであってもよい。
【００２６】
前記前後一対の妻小壁部２２，２３もまた、例えばガラス、あるいはこの例のような透明性の合成樹脂で板形に成形されている。
【００２７】
前側の妻小壁部２２における左右の各下端部には、前記水槽本体１の開口１ａの左右両端縁に内嵌する嵌合部２２ａ，２２ａがそれぞれ形成されており、また、後側の妻小壁部２３における左右の各下端部には、前記水槽本体１の開口１ａの左右両端縁に内嵌する嵌合部２３ａ，２３ａがそれぞれ形成されている。
【００２８】
また、前後の妻小壁部２２，２３の少なく一方、例えば前側の妻小壁部２２には、水槽本体１内に餌を投入したりするための孔部、例えば円孔２４が形成されている。
【００２９】
前記水滴留め手段３は、前記屋根本体２１の内面側に設けられて、屋根本体２１の内面側に結露した水滴が屋根本体２１内面を流下して水槽本体１の左右側壁部１４，１５の外側に滴るのを阻止するものであり、例えば左右の水滴留め側壁３２，３３からなる。
【００３０】
具体的には、これら左右の水滴留め側壁３２，３３は、例えばガラス、あるいはこの例のような透明性の合成樹脂で板形に成形されており、前後の妻小壁部２２，２３の左右の嵌合部２２ａ，２３間にそれぞれ跨る状態で該妻小壁部２２，２３に連成されている。
【００３１】
これら水滴留め側壁３２，３３の各上端が前記屋根本体２１の内面側に当接される一方、各下端部３２ａ，３３ａが水槽本体１の開口１ａの左右両端縁に内嵌している。
【００３２】
上記構成からなる鑑賞用水槽においては、前記鑑賞魚などを入れた水槽本体１上に屋根２を置けば、前側の妻小壁部２２における左右の嵌合部２２ａ，２２ａと後側の妻小壁部２３における左右の嵌合部２３ａ，２３ａが前記水槽本体１の開口１ａにおける左右両端縁に内嵌される一方、左右の水滴留め側壁３２，３３も前記水槽本体１の開口１ａにおける左右両端縁に内嵌されて、安定的に保持される。
【００３３】
そして、屋根本体２１が透明な合成樹脂で成形されているので、水槽本体１内の鑑賞魚などをこの屋根本体２１を透して鑑賞することができる。
【００３４】
また、水槽本体１内の鑑賞魚などに餌をやる場合には、屋根２を水槽本体１から持ち上げてなくても、前記前側の妻小壁部２２の孔部２４から餌を投入すればよく、便利である。
【００３５】
また、夏場などに屋根２の内側空間に熱がこもったりしても、前記孔部２４による換気作用により、熱気を排出することができる。
【００３６】
勿論、前記孔部２４の形状や形成位置は任意に変更可能であり、例えば、屋根本体２１に煙突形の孔部を設けてもよい。
【００３７】
ところで、水槽本体１内の水温と外部との温度差等から前記屋根本体２１の内側に結露が生じた場合、その結露による水滴は屋根本体２１の左右の下り勾配によって屋根本体２１の内側に沿って流下する。
【００３８】
しかし、前記屋根本体２１の内面に当接する左右の水滴留め側壁３２，３３が前後の妻小壁部２２，２３の各左右の嵌合部２２ａ，２３間にそれぞれ跨って設けられているから、流下する水滴がこれら水滴留め側壁３２，３３で留められるとともに、水滴留め側壁３２，３３の内面に沿って水槽本体１内に滴下されることになる。
【００３９】
従って、前記結露による水滴が屋根本体２１の左右両端まで至り、そこから水槽本体１の外側に滴って周囲を濡らしてしまうおそれがなくなり、拭き掃除したりする手間から解放される。
【００４０】
このような小形の鑑賞用水槽であっても、図６に示すように、水槽本体１内を照らす照明装置４を装着することもできる。
【００４１】
照明装置４を取付けるには、例えば、図６に示すように、後側の妻小壁部２３に設けた取付け孔２３１に装置４の本体部４１を挿入し、この装置本体４１を前後の締め付け部材４２，４３により前記妻小壁部２３に挟持させるようにすればよい。
【００４２】
この照明装置４を取付けることにより、水槽本体１内の熱帯魚などが照らされて鑑賞の興趣を一層そそることにもなる。
【００４３】
この照明装置４によって前記屋根本体２１の内側空間に熱がこもったりしても、前記孔部２４による換気作用により、熱気を排出することができる。
【００４４】
なお、屋根本体２１の内面に対向して透明の照明装置用の支持壁部を設け、この支持壁部上に照明装置を配置してもよい。その場合、例えば水槽本体１を移動させたりした際に揺れたりして、意に反して水が撥ねたりしても、前記支持壁によって照明装置４が濡れるのを保護することができる。
【００４５】
ところで、前記水滴留め手段３は、前記実施形態のものに限定されるものではなく、例えば、図７に示すように、水槽本体１の左右の側壁部１４，１５の内側に対応して、屋根本体２１の内面に前後方向へ沿って設けた凸条５１，５１で構成したものであってもよい。
【００４６】
屋根本体２１の内面側の結露による水滴が流下しても、これら凸条５１，５１のより水滴の流下留めことができ、従って、水槽本体１の外側に水滴が滴り落ちるのが防止される。
【００４７】
また、前記水滴留め手段３として、凸条５１，５１の代わりに、図８に示すように、水槽本体１の左右の側壁部１４，１５の内側に対応して、屋根本体２１の内面面に前後方向へ沿って設けた凹条５２，５２で構成したものであってもよい。
【図面の簡単な説明】
【００４８】
【図１】この発明の実施形態に係る鑑賞用水槽を示す斜視図である。
【図２】同じく鑑賞用水槽を示す分解斜視図である。
【図３】図１のＡ−Ａ線に沿った断面図である。
【図４】図１のＢ−Ｂ線に沿った断面図である。
【図５】図１のＣ−Ｃ線に沿った断面図である。
【図６】照明装置を備えた鑑賞用水槽を示す断面図である。
【図７】水滴留め手段の変形例を示す断面図である。
【図８】水滴留め手段の別の変形例を示す断面図である。
【符号の説明】
【００４９】
１  水槽本体
１ａ  開口
２  屋根（蓋）
２１  屋根本体
２４  孔部
３  水滴留め手段
３２，３３  水滴留め側壁
４  照明装置
【図１】
2007097499.tif 000003
【図２】
2007097499.tif 000004
【図３】
2007097499.tif 000005
【図４】
2007097499.tif 000006
【図５】
2007097499.tif 000007
【図６】
2007097499.tif 000008
【図７】
2007097499.tif 000009
【図８】
2007097499.tif 000010